【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
メディアプログラムに関係付けられているメタデータを取得する方法において、
メディアプログラムのフレーム中のオブジェクトを検出するステップと、
前記検出したオブジェクトを有する前記メディアプログラムの前記フレームを含む第１のデータを、ユーザへの提示のためにディスプレイデバイスに送信するステップと、
識別したオブジェクトに関係付けられている、ユーザに入力されたメタデータを含む第２のデータを受信するステップと、
前記オブジェクトを前記メディアプログラムの近似のフレームにわたって追跡するステップと、
前記入力されたメタデータを前記メディアプログラムの前記近似のフレームのうちの少なくとも１つの中の前記オブジェクトと関係付けるステップと、
前記関係付けた入力メタデータを記憶するステップとを含む方法。
【請求項２】
前記識別したオブジェクトに関係付けられている、ユーザに入力されたメタデータを含む第２のデータを受信するステップは、
前記検出したオブジェクトのユーザ選択を含む第３のデータを、前記ディスプレイデバイスから受信するステップと、
前記検出したオブジェクトに関係付けられているメタデータのユーザ入力に対する、前記ディスプレイデバイスへのインターフェースを含む第４のデータを送信するステップとを含む請求項１記載の方法。
【請求項３】
前記第４のデータは、第２のユーザにより入力された前記識別したオブジェクトに関係付けられているメタデータを含む請求項２記載の方法。
【請求項４】
前記第４のデータは、前記識別したオブジェクトに関係付けられている仮定のメタデータを含み、前記第２のデータは、前記仮定のメタデータの組み合わせを含む請求項２記載の方法。
【請求項５】
前記フレームは、前記検出したオブジェクトの描写を含む請求項１記載の方法。
【請求項６】
前記描写は、前記オブジェクトに近似の標線を含む請求項５記載の方法。
【請求項７】
前記第１のデータは、前記送信したフレームを含む複数のフレームを含み、前記複数のフレームは、ともに前記メディアプログラムの動画を提示する請求項１記載の方法。
【請求項８】
前記フレームは、１つの検出されたオブジェクトのみを含むサムネイルである請求項１記載の方法。
【請求項９】
前記サムネイルは、メタデータサーチに応答して送信され、前記フレームは、前記１つの検出したオブジェクトを含み、追加の検出したオブジェクトは含まないように選択される請求項８記載の方法。
【請求項１０】
前記メタデータは、前記メディアプログラム中に描写されている出演者をサーチする請求項９記載の方法。
【請求項１１】
前記受信した第２のデータは、前記検出したオブジェクトを識別する、ユーザに入力されたメタデータを含む請求項１記載の方法。
【請求項１２】
前記オブジェクトは、前記メディアプログラム中に描写されている出演者であり、前記入力されたメタデータは、前記出演者を識別する請求項１記載の方法。
【請求項１３】
前記メタデータを記憶する前に、前記メタデータを検証するステップをさらに含む請求項１記載の方法。
【請求項１４】
前記ユーザに入力されたメタデータを検証するステップは、
前記ユーザに入力されたメタデータを他のユーザに入力されたメタデータと比較するステップと、
前記比較に基づいて、前記ユーザに入力されたメタデータを検証するステップとを含む請求項１記載の方法。
【請求項１５】
メディアプログラムに関係付けられているメタデータを取得するための装置において、
メディアプログラムのフレーム中のオブジェクトを検出し、前記オブジェクトを前記メディアプログラムの近似のフレームにわたって追跡するメディアプログラムアナライザと、
前記検出したオブジェクトを有する前記メディアプログラムの前記フレームを含む第１のデータを、ユーザへの提示のためにディスプレイデバイスに送信し、識別したオブジェクトに関係付けられている、ユーザに入力されたメタデータを含む第２のデータを受信する通信モジュールと、
前記入力されたメタデータを前記メディアプログラムの前記近似のフレームのうちの少なくとも１つの中の前記オブジェクトと関係付け、関係付けた入力メタデータを記憶するデータベースとを具備する装置。
【手続補正２】
【補正対象書類名】明細書
【補正対象項目名】００７７
【補正方法】変更
【補正の内容】
【００７７】
これは、本発明の好ましい実施形態の説明を結論付ける。本発明の好ましい実施形態の前述は、例示および説明の目的のために提示されている。これは、排他的であること、または、開示した厳格な形態に本発明を限定することを意図していない。上記の教示を踏まえて、多くの修正および変更が可能である。本発明の範囲は、この詳細な説明によってではなく、むしろ、ここに付随する特許請求の範囲により限定されることを意図している。上記の仕様、例示およびデータは、本発明の構成の製造および使用の完全な説明を提供する。本発明の多くの実施形態は、本発明の精神および範囲から逸脱することなく構成することができることから、本発明は、これ以下に付随する特許請求の範囲内に属する。
以下に、出願当初の特許請求の範囲に記載された発明を付記する。
［１］メディアプログラムに関係付けられているメタデータを取得する方法において、
メディアプログラムのフレーム中のオブジェクトを検出するステップと、
前記検出したオブジェクトを有する前記メディアプログラムの前記フレームを含む第１のデータを、ユーザへの提示のためにディスプレイデバイスに送信するステップと、
前記識別したオブジェクトに関係付けられている、ユーザに入力されたメタデータを含む第２のデータを受信するステップと、
前記オブジェクトを前記メディアプログラムの近似のフレームにわたって追跡するステップと、
前記入力されたメタデータを前記メディアプログラムの前記近似のフレームのうちの少なくとも１つの中の前記オブジェクトと関係付けるステップと、
前記関係付けた入力メタデータを記憶するステップとを含む方法。
［２］前記識別したオブジェクトに関係付けられている、ユーザに入力されたメタデータを含む第２のデータを受信するステップは、
前記検出したオブジェクトのユーザ選択を含む第３のデータを、前記ディスプレイデバイスから受信するステップと、
前記検出したオブジェクトに関係付けられているメタデータのユーザ入力に対する、前記ディスプレイデバイスへのインターフェースを含む第４のデータを送信するステップとを含む［１］記載の方法。
［３］前記第４のデータは、第２のユーザにより入力された前記識別したオブジェクトに関係付けられているメタデータを含む［２］記載の方法。
［４］前記第４のデータは、前記識別したオブジェクトに関係付けられている仮定のメタデータを含み、前記第２のデータは、前記仮定のメタデータの組み合わせを含む［２］記載の方法。
［５］前記フレームは、前記検出したオブジェクトの描写を含む［１］記載の方法。
［６］前記描写は、前記オブジェクトに近似の標線を含む［５］記載の方法。
［７］前記第１のデータは、前記送信したフレームを含む複数のフレームを含み、前記複数のフレームは、ともに前記メディアプログラムの動画を提示する［１］記載の方法。
［８］前記フレームは、１つの検出されたオブジェクトのみを含むサムネイルである［１］記載の方法。
［９］前記サムネイルは、メタデータサーチに応答して送信され、前記フレームは、前記１つの検出したオブジェクトを含み、追加の検出したオブジェクトは含まないように選択される［８］記載の方法。
［１０］前記メタデータは、前記メディアプログラム中に描写されている出演者をサーチする［９］記載の方法。
［１１］前記受信した第２のデータは、前記検出したオブジェクトを識別する、ユーザに入力されたメタデータを含む［１］記載の方法。
［１２］前記オブジェクトは、前記メディアプログラム中に描写されている出演者であり、前記入力されたメタデータは、前記出演者を識別する［１］記載の方法。
［１３］前記メタデータを記憶する前に、前記メタデータを検証するステップをさらに含む［１］記載の方法。
［１４］前記ユーザに入力されたメタデータを検証するステップは、
前記ユーザに入力されたメタデータを他のユーザに入力されたメタデータと比較するステップと、
前記比較に基づいて、前記ユーザに入力されたメタデータを検証するステップとを含む［１］記載の方法。
［１５］メディアプログラムに関係付けられているメタデータを取得するための装置において、
メディアプログラムのフレーム中のオブジェクトを検出し、前記オブジェクトを前記メディアプログラムの近似のフレームにわたって追跡するメディアプログラムアナライザと、
前記検出したオブジェクトを有する前記メディアプログラムの前記フレームを含む第１のデータを、ユーザへの提示のためにディスプレイデバイスに送信し、前記識別したオブジェクトに関係付けられている、ユーザに入力されたメタデータを含む第２のデータを受信する通信モジュールと、
前記入力されたメタデータを前記メディアプログラムの前記近似のフレームのうちの少なくとも１つの中の前記オブジェクトと関係付け、関係付けた入力メタデータを記憶するデータベースとを具備する装置。
［１６］前記通信モジュールはさらに、前記検出したオブジェクトのユーザ選択を含む第３のデータを、前記ディスプレイデバイスから受信し、前記検出したオブジェクトに関係付けられているメタデータのユーザ入力に対する、前記ディスプレイデバイスへのインターフェースを含む第４のデータを送信する［１５］記載の装置。
［１７］前記第４のデータは、第２のユーザにより入力された前記識別したオブジェクトに関係付けられているメタデータを含む［１６］記載の装置。
［１８］前記第４のデータは、前記識別したオブジェクトに関係付けられている仮定のメタデータを含み、前記第２のデータは、前記仮定のメタデータの組み合わせを含む［１６］記載の装置。
［１９］前記フレームは、前記検出したオブジェクトの描写を含む［１５］記載の装置。
［２０］前記描写は、前記オブジェクトに近似の標線を含む［１９］記載の装置。
［２１］前記第１のデータは、前記送信したフレームを含む複数のフレームを含み、前記複数のフレームは、ともに前記メディアプログラムの動画を提示する［１５］記載の装置。
［２２］前記フレームは、１つの検出されたオブジェクトのみを含むサムネイルである［１５］記載の装置。
［２３］前記サムネイルは、メタデータサーチに応答して送信され、前記フレームは、前記１つの検出したオブジェクトを含み、追加の検出したオブジェクトは含まないように選択される［２２］記載の装置。
［２４］前記メタデータは、前記メディアプログラム中に描写されている出演者をサーチする［２３］記載の装置。
［２５］前記受信した第２のデータは、前記検出したオブジェクトを識別する、ユーザに入力されたメタデータを含む［１５］記載の装置。
［２６］前記オブジェクトは、前記メディアプログラム中に描写されている出演者であり、前記入力されたメタデータは、前記出演者を識別する［１５］記載の装置。
［２７］前記データベースは、前記メタデータを記憶する前に、前記メタデータを検証する［１５］記載の装置。
［２８］前記データベースは、前記ユーザに入力されたメタデータを他のユーザに入力されたメタデータと比較し、前記比較に基づいて、前記ユーザに入力されたメタデータを検証する［１５］記載の装置。
［２９］メディアプログラムに関係付けられているメタデータを取得するための装置において、
メディアプログラムのフレーム中のオブジェクトを検出する手段と、
前記検出したオブジェクトを有する前記メディアプログラムの前記フレームを含む第１のデータを、ユーザへの提示のためにディスプレイデバイスに送信する手段と、
前記識別したオブジェクトに関係付けられている、ユーザに入力されたメタデータを含む第２のデータを受信する手段と、
前記オブジェクトを前記メディアプログラムの近似のフレームにわたって追跡する手段と、
前記入力されたメタデータを前記メディアプログラムの前記近似のフレームのうちの少なくとも１つの中の前記オブジェクトと関係付ける手段と、
前記関係付けた入力メタデータを記憶する手段とを具備する装置。
［３０］前記識別したオブジェクトに関係付けられている、ユーザに入力されたメタデータを含む第２のデータを受信するステップは、
前記検出したオブジェクトのユーザ選択を含む第３のデータを、前記ディスプレイデバイスから受信する手段と、
前記検出したオブジェクトに関係付けられているメタデータのユーザ入力に対する、前記ディスプレイデバイスへのインターフェースを含む第４のデータを送信する手段とを含む［２９］記載の装置。
［３１］前記第４のデータは、第２のユーザにより入力された前記識別したオブジェクトに関係付けられているメタデータを含む［３０］記載の装置。
［３２］前記第４のデータは、前記識別したオブジェクトに関係付けられている仮定のメタデータを含み、前記第２のデータは、前記仮定のメタデータの組み合わせを含む［３０］記載の装置。
［３３］前記フレームは、前記検出したオブジェクトの描写を含む［２９］記載の装置。
［３４］前記描写は、前記オブジェクトに近似の標線を含む［３３］記載の装置。
［３５］前記第１のデータは、前記送信したフレームを含む複数のフレームを含み、前記複数のフレームは、ともに前記メディアプログラムの動画を提示する［２９］記載の装置。
［３６］前記フレームは、１つの検出されたオブジェクトのみを含むサムネイルである［２９］記載の装置。
［３７］前記サムネイルは、メタデータサーチに応答して送信され、前記フレームは、前記１つの検出したオブジェクトを含み、追加の検出したオブジェクトは含まないように選択される［３６］記載の装置。
［３８］前記メタデータは、前記メディアプログラム中に描写されている出演者をサーチする［３７］記載の装置。
［３９］前記受信した第２のデータは、前記検出したオブジェクトを識別する、ユーザに入力されたメタデータを含む［２９］記載の装置。
［４０］前記オブジェクトは、前記メディアプログラム中に描写されている出演者であり、前記入力されたメタデータは、前記出演者を識別する［２９］記載の装置。
［４１］前記メタデータを記憶する前に、前記メタデータを検証するステップをさらに具備する［２９］記載の装置。
［４２］前記ユーザに入力されたメタデータを検証するステップは、
前記ユーザに入力されたメタデータを他のユーザに入力されたメタデータと比較する手段と、
前記比較に基づいて、前記ユーザに入力されたメタデータを検証する手段とを備える［２９］記載の装置。